(57)【要約】【課題】  オリフィスに付着する異物を自動的に排除する。【解決手段】  入口４と出口６が形成された本体１と蓋２とで形成されたトラップケーシングと、入口４と出口６の間に形成された弁口１４と、弁口１４の入口側に配され弁口１４を開閉する弁体１７と、弁口１４の出口側に配され弁体１７を駆動するピストン１６と、ピストン１６の弁口１４とは反対側の一面に形成された圧力室１０と、圧力室１０を入口側に連通する第１オリフィス１１と、圧力室１０を出口側に連通するためにピストン１６に設けられた第２オリフィス２０と、第１オリフィス１１を開閉し圧力室１０内の圧力を制御してピストン１６を動作させるパイロット弁９と、蓋２に設けられピストン１６の変位により第２オリフィス２０内に進入して第２オリフィス２０に付着した異物を排除する異物排除部材２１とを備える。【選択図】      図１
2011064230.tif 000002
【特許請求の範囲】
【請求項１】
入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通するためにピストンに設けられた第２オリフィスと、第１オリフィスを開閉し圧力室内の圧力を制御してピストンを動作させるパイロット弁とを備えたものにおいて、ピストンの変位により第２オリフィス内に進入して第２オリフィスに付着した異物を排除する異物排除部材をケーシングに設けたことを特徴とするパイロット式スチームトラップ。
【発明の詳細な説明】
【技術分野】
【０００１】
本発明は、蒸気配管系に発生する復水を自動的に排出するスチームトラップに関し、特にパイロット弁の開閉によってピストンを動作させるようにしたパイロット式スチームトラップに関する。
【背景技術】
【０００２】
従来のパイロット式スチームトラップは、例えば特許文献１に開示されている。これは、入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通するためにピストンに設けられた第２オリフィスと、第１オリフィスを開閉し圧力室内の圧力を制御してピストンを動作させるパイロット弁とを備えたものである。
【先行技術文献】
【特許文献】
【０００３】
【特許文献１】特公平６−６３５９９号公報
【発明の概要】
【発明が解決しようとする課題】
【０００４】
上記従来のパイロット式スチームトラップにおいては、第２オリフィスの開口面積が比較的小さいために、第２オリフィスを流下するドレン中のゴミ、錆、スケール等の異物が第２オリフィスに付着し易く次第に堆積して比較的短期間に第２オリフィスが詰まってしまう問題点があった。
【０００５】
したがって本発明が解決しようとする課題は、第２オリフィスに付着する異物を自動的に排除できるパイロット式スチームトラップを提供することである。
【課題を解決するための手段】
【０００６】
上記の課題を解決するために、本発明のパイロット式スチームトラップは、入口と出口が形成されたトラップケーシングと、入口と出口の間に形成された弁口と、弁口の入口側に配され弁口を開閉する弁体と、弁口の出口側に配され弁体を駆動するピストンと、ピストンの弁口とは反対側の一面に形成された圧力室と、圧力室を入口側に連通する第１オリフィスと、圧力室を出口側に連通するためにピストンに設けられた第２オリフィスと、第１オリフィスを開閉し圧力室内の圧力を制御してピストンを動作させるパイロット弁とを備えたものにおいて、ピストンの変位により第２オリフィス内に進入して第２オリフィスに付着した異物を排除する異物排除部材をケーシングに設けたことを特徴とするものである。
【発明の効果】
【０００７】
本発明によれば、ピストンの変位により第２オリフィス内に進入して第２オリフィスに付着した異物を排除する異物排除部材をケーシングに設けたものであるので、ピストンの変位により異物排除部材が第２オリフィス内に進入して第２オリフィスに付着する異物を自動的に排除できるという効果を奏する。
【図面の簡単な説明】
【０００８】
【図１】本発明の実施の形態に係わるパイロット式スチームトラップの断面図である。
【発明を実施するための形態】
【０００９】
以下、本発明の実施の形態について、図１を参照して説明する。本体１と本体１に固着された蓋２によりトラップケーシングが形成される。本体１に入口４と出口６が形成される。入口４と出口６は同一軸上に形成される。トラップケーシングの内部は仕切り壁３により入口４の連通する入口側空間５と出口６の連通する出口側空間７に仕切られる。入口側空間５の下部に異物捕捉用のスクリーン８が配置される。入口側空間５の上部にパイロット弁９が取付けられる。パイロット弁９は具体的な構造の図示を省略しているが、入口側空間５の温度に従って膨脹収縮する膨脹媒体によりダイヤフラムを変位せしめ、ダイヤフラムに連結した弁部材により下記の圧力室１０に連通する第１オリフィス１１を開閉するようにしたものである。
【００１０】
出口側空間７にシリンダ１２が配置される。入口側空間５と出口側空間７の間に弁座１３が配置される。入口側空間５と出口側空間７は弁座１３に開けられた弁口１４により連通される。シリンダ１２内に気密的に摺動するピストン１６が配置され、弁口１４の下方の入口側空間５側に弁口１４を開閉する弁体１７が配置される。弁体１７は弁棒部１８が弁座１３を貫通し、更にピストン１６を貫通して、ナット１９によりピストン１６に固定され、ピストン１６により駆動される。ピストン１６の弁口１４とは反対側の一面に形成された上方空間が圧力室１０を成し、第１オリフィス１１によって入口側空間５に連通している。また圧力室１０はピストン１６に設けられた第２オリフィス２０により出口側空間７に連通している。
【００１１】
蓋２に異物排除部材２１をねじ結合して設ける。異物排除部材２１はピストン１６が上方に閉弁方向に変位したときに第２オリフィス２０内に進入して第２オリフィス２０に付着した異物を排除する。
【００１２】
上記実施例の作動は下記の通りである。始動時は入口側空間５が低温であり、パイロット弁９の開弁により第１オリフィス１１から圧力室１０に導入される低温流体により圧力室１０の圧力が高められ、ピストン１６が下方に変位し、これに伴って弁体１７が弁座１３から離座して弁口１４を開き、入口４からの復水を出口６へ排出する。復水の排出により入口側空間５が高温になると、パイロット弁９が第１オリフィス１１を閉弁し、圧力室１０の圧力が第２オリフィス２０を通して次第に低下するので、ピストン１６が上方に変位し、これに伴って弁体１７が弁座１３に着座して弁口１４を塞ぐ。このとき、異物排除部材２１が第２オリフィス２０内に侵入して第２オリフィス２０に付着した異物を排除する。
【産業上の利用可能性】
【００１３】
本発明は、パイロット弁の開閉によってピストンを動作させることにより、蒸気配管系に発生する復水を自動的に排出するパイロット式スチームトラップに利用することができる。
【符号の説明】
【００１４】
１  本体
２  蓋
４  入口
５  入口側空間
６  出口
７  出口側空間
９  パイロット弁
１０  圧力室
１１  第１オリフィス
１３  弁座
１４  弁口
１６  ピストン
１７  弁体
２０  第２オリフィス
２１  異物排除部材
【図１】
2011064230.tif 000003